【手続補正書】
【提出日】平成21年1月21日(2009.1.21)
【手続補正１】
【補正対象書類名】特許請求の範囲
【補正対象項目名】全文
【補正方法】変更
【補正の内容】
【特許請求の範囲】
【請求項１】
車両に設けられ、運転手に関するデータを取得するデータ取得部と、
前記データ取得部が取得した前記運転手に関するデータを含む運転手データを生成するデータ生成部と、
前記車両の運転を許可されている人物に関する前記運転手データに対応するデータを保持するデータ保持部と、
前記運転手データと前記データ保持部が保持する前記データとを比較して前記車両の運転の許可または不許可を決定する情報処理部と、
前記情報処理部が前記不許可の決定をした場合、前記車両の運転を不可能な状態にする運転制限部と、
前記運転制限部により前記車両の運転が不可能な状態にある場合に、前記車両の運転が不可能な状態を解除するための解除情報を入力する入力部と、
前記情報処理部が前記許可の決定をした場合に、または前記入力部から前記解除情報が入力された場合に、前記運転制限部による前記車両の運転が不可能な状態を解除する制御部と、を備えること、
を特徴とする車両の盗難防止システム。
【請求項２】
請求項１に記載の車両の盗難防止システムにおいて、
前記データ取得部は、前記車両の運転手の顔を撮像する撮像部を備え、
前記データ生成部は、前記撮像部が撮像した前記運転手の顔に関するデータを含む前記運転手データを生成すること、
を特徴とする車両の盗難防止システム。
【請求項３】
請求項２に記載の車両の盗難防止システムにおいて、
前記データ取得部は、前記運転手の免許証を読み取る読取部を備え、
前記データ生成部は、前記読取部が読み取った前記運転手の免許証に関するデータを含む前記運転手データを生成すること、
を特徴とする車両の盗難防止システム。
【請求項４】
請求項３に記載の車両の盗難防止システムにおいて、
前記データ生成部は、前記読取部が読み取った前記運転手の免許証の顔画像に基づいて顔データを含む前記運転者データを生成し、
前記情報処理部は、前記運転者の免許証の顔画像に基づく顔データと前記撮像部が撮像したデータに基づく顔データとを比較して前記車両の運転の許可または不許可を決定すること、
を特徴とする車両の盗難防止システム。
【請求項５】
請求項２から請求項4のいずれか一項に記載の車両の盗難防止システムにおいて、
前記情報処理部が前記不許可の決定をした場合、前記撮像部が撮像したデータに基づく画像を発信する発信部をさらに備えること、
を特徴とする車両の盗難防止システム。
【請求項６】
請求項５に記載の車両の盗難防止システムにおいて、
前記発信部は、前記入力部により前記解除情報ではない誤情報が入力された場合に信号を発信すること、
を特徴とする車両の盗難防止システム。
【請求項７】
請求項２から請求項６のいずれか一項に記載の車両の盗難防止システムにおいて、
前記撮像部は、前記車両に対して着脱可能に装着されていること、
を特徴とする車両の盗難防止システム。
【請求項８】
請求項１から請求項７のいずれか一項に記載の車両の盗難防止システムにおいて、
前記情報処理部が前記許可の決定をした場合、前記情報処理部が前記許可の決定をする際に比較の対象とした前記運転手データを前記データ保持部に保持させること、
を特徴とする車両の盗難防止システム。
【請求項９】
請求項１から請求項８のいずれか一項に記載の車両の盗難防止システムは、前記車両と相互に通信可能な第１通信装置を有し、
前記入力部は、前記第１通信装置に備えられていること、
を特徴とする車両の盗難防止システム。
【請求項１０】
請求項９に記載の車両の盗難防止システムは、前記車両と相互に通信可能な第２通信装置を有し、
前記データ生成部、前記データ保持部または前記情報処理部のうち少なくとも１つは前記第２通信装置に備えられていること、
を特徴とする車両の盗難防止システム。
【手続補正２】
【補正対象書類名】明細書
【補正対象項目名】０００１
【補正方法】変更
【補正の内容】
【０００１】
本発明は、車両の盗難防止システムに関するものである。
【手続補正３】
【補正対象書類名】明細書
【補正対象項目名】０００６
【補正方法】変更
【補正の内容】
【０００６】
請求項１に記載の車両の盗難防止システムは、車両に設けられ、運転手に関するデータを取得するデータ取得部と、前記データ取得部が取得した前記運転手に関するデータを含む運転手データを生成するデータ生成部と、前記車両の運転を許可されている人物に関する前記運転手データに対応するデータを保持するデータ保持部と、前記運転手データと前記データ保持部が保持する前記データとを比較して前記車両の運転の許可または不許可を決定する情報処理部と、前記情報処理部が前記不許可の決定をした場合、前記車両の運転を不可能な状態にする運転制限部と、前記運転制限部により前記車両の運転が不可能な状態にある場合に、前記車両の運転が不可能な状態を解除するための解除情報を入力する入力部と、前記情報処理部が前記許可の決定をした場合に、または前記入力部から前記解除情報が入力された場合に、前記運転制限部による前記車両の運転が不可能な状態を解除する制御部とを備えることを特徴とする。
【手続補正４】
【補正対象書類名】明細書
【補正対象項目名】０００７
【補正方法】変更
【補正の内容】
【０００７】
請求項２に記載の車両の盗難防止システムは、請求項１に記載の車両の盗難防止システムにおいて、前記データ取得部は、前記車両の運転手の顔を撮像する撮像部を備え、前記データ生成部は、前記撮像部が撮像した前記運転手の顔に関するデータを含む前記運転手データを生成することを特徴とする。
請求項３に記載の車両の盗難防止システムは、請求項２に記載の車両の盗難防止システムにおいて、前記データ取得部は、前記運転手の免許証を読み取る読取部を備え、前記データ生成部は、前記読取部が読み取った前記運転手の免許証に関するデータを含む前記運転手データを生成することを特徴とする。
請求項４に記載の車両の盗難防止システムは、請求項３に記載の車両の盗難防止システムにおいて、前記データ生成部は、前記読取部が読み取った前記運転手の免許証の顔画像に基づいて顔データを含む前記運転手データを生成し、前記情報処理部は、前記運転手の免許証の顔画像に基づく顔データと前記撮像部が撮像したデータに基づく顔データとを比較して前記車両の運転の許可または不許可を決定することを特徴とする。
【手続補正５】
【補正対象書類名】明細書
【補正対象項目名】０００８
【補正方法】変更
【補正の内容】
【０００８】
請求項５に記載の車両の盗難防止システムは、請求項２から請求項４のいずれか一項に記載の車両の盗難防止システムにおいて、前記情報処理部が前記不許可の決定をした場合、前記撮像部が撮像したデータに基づく画像を発信する発信部をさらに備えることを特徴とする。
請求項６に記載の車両の盗難防止システムは、請求項５に記載の車両の盗難防止システムにおいて、前記発信部は、前記入力部により前記解除情報ではない誤情報が入力された場合に信号を発信することを特徴とする。
請求項７に記載の車両の盗難防止システムは、請求項２から請求項６のいずれか一項に記載の車両の盗難防止システムにおいて、前記撮像部は、前記車両に対して着脱可能に構成されていることを特徴とする。
請求項８に記載の車両の盗難防止システムは、請求項１から請求項７のいずれか一項に記載の車両の盗難防止システムにおいて、前記情報処理部が前記許可の決定をした場合、前記情報処理部が前記許可の決定をする際に比較の対象とした前記運転手データを前記データ保持部に保持させることを特徴とする。
請求項９に記載の車両の盗難防止システムは、請求項１から請求項８のいずれか一項に記載の車両の盗難防止システムは、前記車両と相互に通信可能な第１通信装置を有し、前記入力部は、前記通信装置に備えられていることを特徴とする。
請求項１０に記載の車両の盗難防止システムは、請求項９に記載の車両の盗難防止システムは、前記車両と相互に通信可能な第２通信装置を有し、前記データ生成部、前記データ保持部または前記情報処理部のうち少なくとも１つは前記第２通信装置に備えられていることを特徴とする。
【手続補正６】
【補正対象書類名】明細書
【補正対象項目名】０００９
【補正方法】変更
【補正の内容】
【０００９】
本発明によれば、盗難防止機能を損なわず、かつ、特定の人物による解除が容易な車両の盗難防止システムを提供することができる。
【手続補正７】
【補正対象書類名】明細書
【補正対象項目名】００１１
【補正方法】変更
【補正の内容】
【００１１】
以下、図面を参照して、本発明の車両の盗難防止システムの実施例について説明する。
図１は、実施例の車両の盗難防止システムの構成を示すブロック図である。また、図２は、図１の車両を示し、（ａ）は、ステアリングホイールの周辺を示す図であり、（ｂ）は、車両の側面図である。
本実施例の車両の盗難防止システム１（以下、「本システム１」という）は、車両１０に設けられたカメラ１１及びスキャナ１２によってそれぞれ取得した運転手の顔データ及び免許証データと、予め登録された特定の者の顔データ及び免許証データとを比較し、この結果に応じて車両１０の運転の許可、不許可を決定するものであり、車両１０、警備会社２０、及び、車両１０の所有者が保持する携帯電話３０の間において通信を行うようになっている。
【手続補正８】
【補正対象書類名】明細書
【補正対象項目名】００２７
【補正方法】変更
【補正の内容】
【００２７】
【図１】実施例の車両の盗難防止システムの構成を示すブロック図である。
【図２】図１の車両を示す図である。
【図１】図１の車両の盗難防止システムの運用手順を示すフローチャートである。